(57)【要約】【課題】各コンタクトリーフにおける最適な通常接触力をブレードが斜めに位置している場合やブレードが振動もしくは揺動している場合においても保証することによって、コンタクトの確実性を高める。【解決手段】コンタクト区分（６）が、中間区分（５）から突出する少なくとも３つのコンタクトリーフ（７）を有しており、該コンタクトリーフ（７）がその自由な端部（１２）でもって自由に可動であって、かつ各コンタクトリーフ（７）が少なくとも１つの接点（１０）を、ブレードとの電気的な差込接続を形成するために有しているようにした。【選択図】図１
2004139986.tif 000002
【特許請求の範囲】
【請求項１】
　コンタクト内側部分と、該コンタクト内側部分に被せ嵌め可能なばねエレメントとから成る、ソケット形コンタクトとして構成された電気的な差込接続器であって、前記コンタクト内側部分が、
ａ）電気的な導線の、絶縁材を剥がした端部を収容するための固定部分と、
ｂ）中間区分と、
ｃ）コンタクト部分を備えたコンタクト区分と
から成る形式のものにおいて、コンタクト区分（６）が、中間区分（５）から突出する少なくとも３つのコンタクトリーフ（７）を有しており、該コンタクトリーフ（７）がその自由な端部（１２）でもって自由に可動であって、かつ各コンタクトリーフ（７）が少なくとも１つの接点（１０）を、ブレードとの電気的な差込接続を形成するために有していることを特徴とする、特別なリーフ構造を備えたソケット形コンタクトとして構成された電気的な差込接続器。
【請求項２】
　コンタクトリーフ（７）が指状に形成されており、かつ中間区分（５）へ向かって延びる端部においてのみ互いに結合されている、請求項１記載の差込接続器。
【請求項３】
　コンタクトリーフ（７）の自由な端部（１２）の領域でばね式被嵌部分（３）に支持エレメントが設けられている、請求項１または２記載の差込接続器。
【請求項４】
　ばね式被嵌部分がコンタクト区分（６）をほぼ完全に包囲しており、それにより、コンタクトリーフ（７）のための側方の制限エレメントを形成している、請求項１または２記載の差込接続器。
【発明の詳細な説明】
【技術分野】
【０００１】
　本発明は、コンタクト内側部分と、該コンタクト内側部分に被せ嵌め可能なばねエレメントとから成る、ソケット形コンタクトとして構成された電気的な差込接続器（コネクタ）であって、前記コンタクト内側部分が、ａ）電気的な導線の、絶縁材を剥がした端部を収容するための固定部分と、ｂ）中間区分と、ｃ）コンタクト部分を備えたコンタクト区分とから成る形式のものに関する。
【背景技術】
【０００２】
　冒頭で述べた形式の差込接続器はよく知られている。この種の差込接続器は一般に２つの構成部分、すなわちコンタクト内側部分とばねエレメントとから成っており、その際、ばねエレメントはばね式被嵌部分（Ｕｅｂｅｒｆｅｄｅｒ）、いわゆる「スプリングスリーブ」として形成されており、このばね式被嵌部分はコンタクト内側部分を少なくとも部分的に取り囲んでいる。電気的な差込接続を形成するために、電気的な差込接続器はいわゆる「ブレード（Ｍｅｓｓｅｒ）」上に被せ嵌められて、それにより、コンタクト内側部分はブレードとコンタクトを形成する。コンタクト内側部分自体は複数の領域に分けられ、第１に、電気的な差込接続の、絶縁材が除去された端部が有利には圧着接続される固定部分を有している。さらに、コンタクト内側部分は中間区分を有しており、この中間区分は有利にはコルセット状に形成されていて、そのコルセットに固定エレメントが設けられていて、固定エレメントはコンタクト内側部分を位置決めするために形成されている。さらに、コンタクト内側部分はコンタクト部分を備えたコンタクト区分を有しており、このコンタクト部分は対向して位置するブレードとの電気的なコンタクトを形成している。
【０００３】
　コンタクト部分は一般にコンタクトリーフとして形成されている。コンタクト内側部分は２つまたは複数の、対向して位置するリーフを有しており、リーフは互いに間隔を置いて配置されていて、この間隔はブレードの厚さよりも小さい。ブレードの導入により、コンタクトリーフはばね弾性的な拡開を余儀なくされる。これにより、所定の通常力がコンタクトリーフと、ブレードに導かれた接点とにおいて得られる適当な変形が生じる。
【０００４】
　コンタクトリーフの構成の種々異なる実施形態も知られている。まず、コンタクトリーフがオープンに形成されて、それにより、コンタクトリーフが自由に、ブレード上への被せ嵌め時にばね弾性的に拡開することができるようになっている。別の実施形態では、コンタクトリーフをクランプ式に保持するクリップ（Ｂｕｅｇｅｌ）が設けられており、この場合、クリップはばね式被嵌部分に支持されている。さらに、公知の別の実施例では、コンタクトリーフがばね式被嵌部分に溶接されている。
【０００５】
　コンタクトリーフが自由にばね式被嵌部分の内部で延在している形式の、電気的な差込接続部の構成の場合、特に緩和によりコンタクトリーフ材料がいわゆる「通常接触力（Ｋｏｎｔａｋｔｎｏｒｍａｌｋｒａｆｔ）」の変化を生ぜしめるという欠点を有している。このことは結果として、それ自体に製作された電気的な差込接続部がこの緩和プロセスにより離間させられて、それにより相応の機能障害へと至る可能性がある。
【０００６】
　コンタクトリーフの別の構成が示す欠点は、相応の通常接触力がその他のコンタクトリーフに関連して生ぜしめられる点にある。特にブレードが傾いた位置にある場合および振動および揺動時に、２つの接点のうち一方が高すぎる通常接触力を、他方がそれ相応に低い通常接触力を有することになる。低すぎる通常接触力の場合、このことは極端な例では接点の離間もしくは解離へと至り、ひいては電気的な差込接続部の導通が失われることになりかねない。高すぎる接触力は（ブレードおよびコンタクトリーフの）コンタクト表面の持続的な損傷を結果としてもたらし、このことはやはり寿命に関して言えば同じく接点もしくは電気的な差込接続部の解離へとつながり得る。
【０００７】
　冒頭で述べた形式の電気的な差込接続器の従来構造は、ブレードをコンタクト内側部分に導入するプロセスの間に、この差込プロセス時に一定の最大値を差込力が超過することなく、接点に所定の力を生ぜしめることを意図して設計されている。差込力曲線の経過を適当に構成することは非常に限られた範囲においてのみ可能である。
【発明の開示】
【発明が解決しようとする課題】
【０００８】
　したがって本発明の課題は背景技術の欠点を取り除くことである。特に本発明の課題は、各コンタクトリーフにおける最適な通常接触力をブレードが斜めに位置している場合やブレードが振動もしくは揺動している場合においても保証することによって、コンタクトの確実性を高めることにある。
【課題を解決するための手段】
【０００９】
　この課題を解決するために本発明の構成では、コンタクト区分が中間区分から少なくとも３つの突出したコンタクトリーフを有しており、該コンタクトリーフがその自由な端部でもって自由に可動であって、かつ各コンタクトリーフが少なくとも１つの接点を、ブレードとの電気的な差込接続を形成するために有しているようにした。
【００１０】
　本発明の核心は、冒頭で述べた形式の電気的な差込接続器が、２つまたはそれより多くの、コンタクト区分に配置されたコンタクトリーフを有していて、該コンタクトリーフが、しかも別の固定手段を必要とせずに、自由にその自由な端部でもって（くちばし状に）可動であって、その開口範囲が制限エレメントにより制限されていることにある。有利には、制限エレメントは、ボックス状に形成されていてコンタクトリーフを取り囲むばね式被嵌部分に該当する。
【発明の効果】
【００１１】
　コンタクト区分に中間区分から少なくとも２つの突出したコンタクトリーフが設けられていて、各コンタクトリーフが少なくとも１つの接点を、ブレードとの電気的な差込接続器を製作するために有していて、かつコンタクトリーフが付加的に、導入したいブレードの寸法に応じて適当にくちばし状に拡開するようにした解決策により、コンタクトの確実性を高めることができるようになる。
【００１２】
　コンタクトリーフはその延在方向で（中間区分とは離反する方向で）互いに無関係である。これが意味するところは、背景技術に比べて、相互的な結合が存在しないことである。コンタクトリーフの自由な端部はその運動に関して、制限エレメント、有利には適当にコンタクトリーフを包囲しているばね式被嵌部分によってのみ制限されている。これにより、コンタクトリーフの運動および変形がブレードの導入時に形状に応じて拡開して、各コンタクトリーフが確実な接点を形成することが可能である。
【００１３】
　その他の有利な構成は以下の説明および図面から見て取れる。
【発明を実施するための最良の形態】
【００１４】
　以下に図面を参照しながら本発明の実施例について詳説する。
【００１５】
　図１に示した電気的な差込接続器（コネクタ）１は実質的に２つの構成部分、すなわちコンタクト内側部分２とばね式被嵌部分（Ｕｅｂｅｒｆｅｄｅｒ）３とから成っており、その際、スプリングスリーブとも呼ばれるばね式被嵌部分３は少なくとも部分的にコンタクト内側部分２の一部を包囲している。
【００１６】
　コンタクト内側部分２は有利には３つの領域、すなわち固定部分４の形の第１の領域と中間区分５とコンタクト区分６とに分類される。コンタクト区分６の領域で有利にはばね式被嵌部分３も延在している。
【００１７】
　コンタクト区分６は本発明により３つまたはそれよりも多くのコンタクトリーフ７を有している。図１および図２に示した実施例の場合、４つのコンタクトリーフが設けられており、コンタクトリーフは中間区分５から自由に片持ち式に延びており、各コンタクトリーフ７の間にはその都度１つの空隙８が設けられている。コンタクトリーフ７はコンタクト領域９を有しており、コンタクト領域９は、図面には詳細に示していないブレードとの電気的な接続を担うために働く。各コンタクトリーフ７のコンタクト領域９は、ここでは図示されていないブレードと各コンタクトリーフ７との間で接点１０が生ぜしめられるように構成されている。
【００１８】
　組み立てられた状態では、ばね式被嵌部分３はコンタクト区分６に、ばね式被嵌部分３が中間区分５の領域で位置決めエレメント１１を介して保持されるような形で配置されている。ばね式被嵌部分３の空間的な寸法は、組み立てられていない状態でコンタクトリーフ７がばね式被嵌部分３の内部で自由に運動できるように構成されている。
【００１９】
　本発明による電気的な差込接続器１の差込プロセスは以下のように展開する。
【００２０】
　ブレードを電気的な差込接続器１内へ導入する際に、コンタクトリーフ７は最大で所定の位置にまで、すなわちコンタクトリーフがばね式被嵌部分３の内面に当接するようになるまで拡開する。電気的な差込接続器１をブレードに斜めに被せ嵌めた場合、個々のコンタクトリーフ７が変位できるので、ブレードを収容するために広い開口が生ぜしめられる。コンタクトリーフ７がばね式被嵌部分３に当接することに基づいて、コンタクトリーフ間隔をさらに拡開する場合、コンタクトリーフの先端部は、それ以上の如何なる変形をも停止する、ばね式被嵌部分３の進入開口の制限エレメントに突き当たる前には、ブレードのための進入開口の方向で変位せざるをえず、このことは、力消費を高めることによってのみ可能である。この構造は結果として、例えば許容できないほど厚いブレードを使用した場合に、差込力を飛躍的に上昇させる。これにより直接的に、電気的な差込接続を製作したい人物にフィードバックされ得る、つまり感知され得る。
【００２１】
　若干斜めに位置したブレードはコンタクトリーフ７のフレキシブルな構造に基づいて補償され得る。しかし、一定の限界に達すると、差込力が飛躍的に上昇して、相応の感覚を人間に伝達する。
【００２２】
　隣り合うコンタクトリーフ７の独立性は、コンタクトリーフ７が、通常接触力に関してその都度最適な値に、コンタクトリーフ７のばね特性線に基づいて調節可能であることにもつながる。接点１０の離間もしくは解離は、背景技術に比べて明らかにブレードを著しく斜めに配置した場合に初めて発生する。
【図面の簡単な説明】
【００２３】
【図１】コンタクト内側部分とばね式被嵌部分とから成る、本発明による電気的な差込接続器の斜視図である。
【００２４】
【図２】図１に示したコンタクト内側部分の一部の、ただし図１に対してばね式被嵌部分なしに示した斜視図である。
【符号の説明】
【００２５】
　１　差込接続器、　２　コンタクト内側部分、　３　ばね式被嵌部分、　４　固定部分、　５　中間区分、　６　コンタクト区分、　７　コンタクトリーフ、　８　空隙、　９　コンタクト領域、　１０　接点、　１１　固定エレメント、　１２　端部
【図１】
2004139986.tif 000003
【図２】
2004139986.tif 000004